(57)【要約】【課題】  耐震性に優れた車両用表示装置を提供すること。【解決手段】  第１の文字板１１と、第１の指針１２とを備えた第１の指針計器１と、第２の文字板２１と、第２の指針２２とを備えた第２の指針計器２とが部分的に積層配置されてなる車両用表示装置において、第１の指針計器１は、第１の文字板１１を支持する第１のケース体３１を備え、第２の指針計器２は、第２の文字板２１を支持する第２のケース体３２を備え、第２のケース体３２は、環状リブ（当接部）３２１と係合部３２３とを有し、第１のケース体３１は被係合部３１１を有する。【選択図】  図２
2011069783.tif 000002
【特許請求の範囲】
【請求項１】
第１の文字板と、その第１の文字板の前面を沿うように回転する第１の指針とを備えた第１の指針計器と、第２の文字板と、その第２の文字板の前面を沿うように回転する第２の指針とを備えた第２の指針計器とから構成され、前記第２の指針計器が前記第１の指針計器と部分的に積層配置されてなる表示装置において、前記第１の指針計器は、前記第１の文字板を支持するための第１のケース体を備え、前記第２の指針計器は、前記第２の文字板を支持する第２のケース体を備え、前記第２のケース体は、前記第１のケース体側に延長し当該第１のケース体に当接する当接部とこの当接部が前記第１のケース体に当接した状態で前記第１のケース体に嵌合する係合部とを有し、前記第１のケース体は前記係合部と係合する被係合部を有することを特徴とする車両用表示装置。
【請求項２】
前記第２のケース体に前記第１の文字板を前記第１のケース側に押圧する抑え部を有することを特徴とする請求項１に記載の車両用表示装置。
【請求項３】
前記当接部は前記第１の文字板を避けた前記第１のケース体の所定箇所に当接することを特徴とする請求項１及び２に記載の車両用表示装置。
【発明の詳細な説明】
【技術分野】
【０００１】
本発明は、例えば自動車のコンビネーションメータとして使用可能な車両用表示装置に関する。
【背景技術】
【０００２】
従来の車両用表示装置として、例えば特許文献１に記載の車両用表示装置がある。この車両用表示装置は、種類の異なる指針計器を前後（奥行き方向）に重ねてなり、第１の文字板とその第１の文字板上に重なって配置される第２の文字板とを有し、それぞれ第１及び第２の指針が文字板の前面に沿って回動するように配置されたものである。このような表示装置は、文字板の固定を文字板の前面側にある見返し板と文字板の背面側にあるケース体で挟んで固定するものである。
【先行技術文献】
【特許文献】
【０００３】
【特許文献１】特開２００８−８９４７７号公報
【発明の概要】
【発明が解決しようとする課題】
【０００４】
しかしながら、このような車両用表示装置は、文字板を文字板の前面側にある見返し板と文字板の背面側にあるケース体で挟んで固定する構造であるために、固定に用いる部品点数が多く、それに伴う隙間部分によって車両に搭載して使用される際に部品がぐらついたり、文字板が浮き上がってしまうなどの問題点あり、耐震性の点で改良の余地があった。
【課題を解決するための手段】
【０００５】
そのため本発明は、第１の文字板と、その第１の文字板の前面を沿うように回転する第１の指針とを備えた第１の指針計器と、第２の文字板と、その第２の文字板の前面を沿うように回転する第２の指針とを備えた第２の指針計器とから構成され、前記第２の指針計器が前記第１の指針計器と部分的に積層配置されてなる表示装置において、前記第１の指針計器は、前記第１の文字板を支持するための第１のケース体を備え、前記第２の指針計器は、前記第２の文字板を支持する第２のケース体を備え、前記第２のケース体は、前記第１のケース体側に延長し当該第１のケース体に当接する当接部とこの当接部が前記第１のケース体に当接した状態で前記第１のケース体に嵌合する係合部とを有し、前記第１のケース体は前記係合部と係合する被係合部を有するものである。
【０００６】
また本発明は、前記第２のケース体に前記第１の文字板を前記第１のケース側に押圧する抑え部を有するものである。
【０００７】
また本発明は、前記当接部は前記第１の文字板を避けた前記第１のケース体の所定箇所に当接するものである。
【発明の効果】
【０００８】
本発明によれば、耐震性に優れた車両用表示装置を提供することができる。
【図面の簡単な説明】
【０００９】
【図１】本発明における一実施形態の正面図。
【図２】同上のＡ−Ａ断面図（ハッチング省略）。
【図３】同上のＢ―Ｂ断面図（ハッチング省略）。
【図４】同上の抑片要部拡大図。
【発明を実施するための形態】
【００１０】
本発明の実施形態を添付図面に沿って説明する。
【００１１】
本実施形態による車両用表示装置は、第１の指針計器１と、第１の指針計器１上に重なって配置される第２の指針計器２と、回路基板３と、裏カバー４とから主に構成されている。
【００１２】
第１の指針計器１は、図２及び図３に示すように、目盛などが印刷された第１の指標部１２ａを有する第１の文字板１１と、その第１の文字板１１を支持する第１のケース体３１と、第１の指標部１２ａを指示する第１の指針１２とからなる。
【００１３】
第１の文字板１１は、後述する第２の文字板が配置される中央部分が切り抜かれた構造となっており、本実施形態の場合、図１中左側に位置する第１の指標部１２ａが印刷などによって施されてある。この第１の指標部１２ａを指示する第１の指針１２は、回路基板４から延長した第１の指針軸１２ｂに装着される。
【００１４】
第１のケース体３１は、例えば白色の不透過性合成樹脂を用いて形成され、裏カバー５内に収納された回路基板４上に配置される。第１のケース体３１には回路基板４側から延びるステッピングモータの第１の指針軸１２ｂと後述する第２の指針軸が貫通する貫通孔１２ｃ及び１２ｄが設けられている。
【００１５】
また、第１のケース体３１は後述する係合部が差し込まれる係合孔３１２と、係合部が係合される被係合部３１１がそれぞれ間隔を空けて３つ設けられている（図示せず）。
【００１６】
第２の指針計器２は、図２に示すように、中央部分が略円形状にくり抜かれた貫通孔２２ｃを有する第２の文字板２１と、その第２の文字板２１を支持する第２のケース体３２と、目盛などが印刷された第２の指標部２２ａを指示する第２の指針２２とからなる。この第２の指針２２は、回路基板４側から延びるステッピングモータの第２の指針軸２２ｂに装着される。
【００１７】
第２のケース体３２は、例えば白色の不透過性合成樹脂を用いて形成され、貫通孔２２ｃに対応して中央部分に空間Ｓを備えるように貫通孔２２ｃの周縁に環状リブ（当接部）３２１が第１のケース体３１に向かって突出形成されている。この環状リブ３２１は第２の指針２２の回転中心を取り巻くように第１のケース体３１側にのびている。また、第２のケース体３２は、環状リブ３２１の外側であって、第１のケース体３１に設けられた被係合部３１１に対応した箇所に係合部３２３を備えている。
【００１８】
環状リブ３２１は、係合部３２３を被係合部３１１に係合することで第２の指針計器２が第１の指針計器１に組み付けられた際に、第１の文字板１１を避けた第１のケース体３１の所定箇所に当接するように突出形成されている。
【００１９】
また、環状リブ３２１には、図４に示すように、環状リブ３２１から第１の指針１２の指針キャップ１２１を囲むように延びる抑え部３２２が設けられている。この抑え部３２２は、環状リブ３２１と一体成型されるもので、第２の指針計器２が第１の指針計器１に組み付けられた際に、第１の文字板１１を第１のケース体３１側に当接するように形成されている。
【００２０】
なお回路基板４は、例えばガラスエポキシ材料からなる周知な硬質印刷基板かならなり、裏カバー５は、例えば遮光性合成樹脂から形成されている。
【００２１】
このように、本実施形態は、第１の文字板１１と、その第１の文字板１１の前面を沿うように回転する第１の指針１２とを備えた第１の指針計器１と、第２の文字板２１と、その第２の文字板２１の前面を沿うように回転する第２の指針２２とを備えた第２の指針計器２とから構成され、第２の指針計器２が第１の指針計器１と部分的に積層配置されてなる表示装置において、第１の指針計器１は、第１の文字板１１を支持するための第１のケース体３１を備え、第２の指針計器２は、第２の文字板２１を支持する第２のケース体３２を備え、第２のケース体３２は、前記第１のケース体側に延長し第１の指針計器１に当接する環状リブ（当接部）３２１とこの当接部が前記第１のケース体に当接した状態で第１のケース体３１に嵌合する複数の係合部３２３とを有し、第１のケース体３１は係合部３２３と係合する被係合部３１１を有することによって、部品点数を増やすことなく部品を組み付けできるので、部品の間に隙間が生じず、耐震性に優れた表示装置を提供することが可能となる。
【００２２】
また本実施形態は、第２のケース体３２が抑え片３２２を有することによって、振動で表示装置がぶれたとしても第１の文字板１１の浮きを抑えることができる。
【００２３】
また本実施形態は、環状リブ３２１は、第１の文字板１１を避けて第１のケース体３１に当接するように設けられることによって、振動で第１の文字板１１又は第２のケース体３２がぶれたとしても、環状リブ３２１が第１の文字板１１にあたって擦れゴミの発生を防ぐことが可能となる。
【符号の説明】
【００２４】
１      第１の指針計器
２      第２の指針計器
３      ケース体
４      回路基板
５      裏カバー
１１      第１の文字板
１２      第１の指針
１２ａ     第１の指標部
１２ｂ     第１の指針軸
１２ｃ、１２ｄ 貫通孔
２１      第２の文字板
２２      第２の指針
２２ａ     第２の指標部
２２ｂ     第２の指針
２２ｃ     貫通孔
３１      第１のケース体
３２      第２のケース体
１２１      指針キャップ
３１１      被係合部
３１２      係合孔
３２１      環状リブ（当接部）
３２２      抑え部
３２３      係合部
【図１】
2011069783.tif 000003
【図２】
2011069783.tif 000004
【図３】
2011069783.tif 000005
【図４】
2011069783.tif 000006